(57)【要約】【課題】安全柵の移動等を防止し、万が一安全柵が移動等した場合には報知し、簡易な操作が可能な安全柵固定装置を提供する。【解決手段】安全柵固定装置１は、差し込まれた安全柵２の安全柵脚部３を固定する、フック４、バネ５、及びピン６から構成される安全柵固定手段と、安全柵２が設置される床面１３に吸着する吸盤７と、吸盤７の床面１３への吸着をＯＮ／ＯＦＦ操作するレバー８と、から構成される床面吸着手段と、安全柵２に発生した振動を検知する振動センサ１０と、振動センサ１０をＯＮ／ＯＦＦ操作するスイッチ９と、から構成される振動検知手段と、振動センサ１０による振動の検知に連動して警報を発信する、警報ブザー１１及び警報信号発信手段１２から構成される警報発信手段と、を備え、床面吸着手段のレバー８をＯＮにすると振動検知手段の振動センサ１０が同期してＯＮとなることを特徴とする。【選択図】図２
2010076868.tif 000002
【特許請求の範囲】
【請求項１】
安全柵の脚部に設けられる安全柵固定装置において、
差し込まれた安全柵の脚部を固定する安全柵固定手段と、
安全柵が設置される床面に吸着する吸盤と、吸盤の床面への吸着をＯＮ／ＯＦＦ操作するレバーと、から構成される床面吸着手段と、
安全柵に発生した振動を検知する振動センサと、振動センサをＯＮ／ＯＦＦ操作するスイッチと、から構成される振動検知手段と、
振動センサによる振動の検知に連動して警報を発信する警報発信手段と、を備え、
床面吸着手段のレバーをＯＮにすると振動検知手段の振動センサが同期してＯＮとなることを特徴とする安全柵固定装置。
【請求項２】
請求項１に記載の安全柵固定装置であって、床面吸着手段のレバーがＯＦＦからＯＮになるように回転されると振動センサのスイッチが押圧されてＯＮとなる構成であることを特徴とする安全柵固定装置。
【請求項３】
請求項１又は２に記載の安全柵固定装置であって、固定手段は、バネによって付勢され、ピンにより回転自在なフックの先端部に設けられた凸部を、安全柵の脚部に設けられた凹部に嵌合させて固定することを特徴とする安全柵固定装置。
【請求項４】
請求項３に記載の安全柵固定装置であって、固定手段は、安全柵固定装置から突出したフックをピン回りに回転させることで、安全柵固定装置に固定された安全柵の脚部を解除することを特徴とする安全柵固定装置。
【請求項５】
請求項１乃至４のいずれか１に記載の安全柵固定装置であって、更に、振動センサが発信した信号を受信して警報を発報する警報ブザーを備えることを特徴とする安全柵固定装置。
【請求項６】
請求項１乃至５のいずれか１に記載の安全柵固定装置であって、更に、振動センサが発信した信号を受信して無線信号を発報する警報信号発信手段を備えることを特徴とする安全柵固定装置。
【発明の詳細な説明】
【技術分野】
【０００１】
本発明は、安全柵固定装置に係り、特に、エレベータやエスカレータなどの昇降設備の保守点検時に使用される安全柵の脚部に設けられる安全柵固定装置に関する。
【背景技術】
【０００２】
ここで安全柵とは、例えば、エレベータやエスカレータなどの昇降設備の保守点検時に、乗降口付近において乗客に対して安全上進入してはならない範囲を表示するために用いられる柵をいう。例えば、エレベータでは、一般乗客がエレベータを利用する時間帯にエレベータの扉を開放してエレベータかごの保守点検を行う場合がある。また、エスカレータでは、一般乗客がエレベータを利用する時間帯に乗降口の下にある機械室にアクセスする床を外して保守点検を行う場合がある。これらの場合には、エレベータやエスカレータの乗降口の周囲に安全柵を巡らし、乗客などによる事故の発生を未然に防止している。
【０００３】
安全柵は、相互に連結された４個或いは６個のフェンスを屏風状に立て掛けるのが一般的である。各フェンスの重量は約３．５ｋｇ程度である。この安全柵は、作業員が保守点検の際に手で持って持ち込むことから、より軽量な安全柵が好ましい。このため、安全柵自体は持ち運びの容易さを考慮して軽量化が図られている。しかし、安全柵が軽量であると、通行者や通行者の持ち物などが接触することでフェンスが傾いたり倒れたりしてしまい、安全柵の進入防止機能が損なわれて危険な状況となる。また、屋外や駅などに設置されたエレベータやエスカレータでは、風圧によりフェンスが傾いたり倒れたりする虞がある。
【０００４】
そこで、安全柵とは別に安全柵の転倒防止用の「重り」を持ち込み、現場でこの重りを安全柵の下部に取り付ける場合がある。例えば、特許文献１には、強風によっても倒れることのない簡易な構造の昇降機の安全柵固定装置が開示されている。ここでは、安全柵２下部の棒状体５に嵌合してその安全柵２に固定される重石体６が記載されている。
【０００５】
一方、特許文献１には、風圧や衝突等による安全柵の移動等を警報又は防止するエスカレータ保守時の安全柵固定装置が開示されている。ここでは、支持板３０に対してスプリング３により付勢され、安全柵下枠１０を挟み込み固定する一対の安全柵下枠押え板１，２により安全柵本体９を固定し、安全柵本体９の移動や傾きに対して、スプリング付勢により安全柵本体９を所定の位置に戻すことが記載されている。また、支持板３０に対して安全柵本体９が限度以上に移動した場合には、これを報知する警報ブザー６を備え、保守員又は監視室のブザーを鳴らして注意を促すことが記載されている。
【０００６】
【特許文献１】特開２０００−１７８９３３号公報
【特許文献２】特開平８−３４５８６号公報
【発明の開示】
【発明が解決しようとする課題】
【０００７】
安全柵に対して転倒防止用の「重り」を使用することは簡易な解決手段ではあるが、この「重り」自体を現場まで持ち込みことは作業員にとって相当な負担となる。また、安全柵自体に軽量化が図られているにもかかわらず、新たに重量物を容易することは、安全柵の転倒防止対策としては抜本的な解決方法とはいえない。
【０００８】
また、安全柵の移動等を検知して警報などにより報知することは安全管理上好ましいが、そもそも安全柵の移動等を防止するという課題を解決するものではないため、いたずらに警報が発令される虞があり、乗客への迷惑となり好ましくない。
【０００９】
本願の目的は、かかる課題を解決し、安全柵の移動等を防止し、万が一安全柵が移動等した場合には報知し、簡易な操作が可能な安全柵固定装置を提供することである。
【課題を解決するための手段】
【００１０】
上記目的を達成するため、本発明に係る安全柵固定装置は、安全柵の脚部に設けられる安全柵固定装置において、差し込まれた安全柵の脚部を固定する安全柵固定手段と、安全柵が設置される床面に吸着する吸盤と、吸盤の床面への吸着をＯＮ／ＯＦＦ操作するレバーと、から構成される床面吸着手段と、安全柵に発生した振動を検知する振動センサと、振動センサをＯＮ／ＯＦＦ操作するスイッチと、から構成される振動検知手段と、振動センサによる振動の検知に連動して警報を発信する警報発信手段と、を備え、床面吸着手段のレバーをＯＮにすると振動検知手段の振動センサが同期してＯＮとなることを特徴とする。
【００１１】
上記構成により、安全柵固定装置は、軽量な機構である吸盤部により安全柵の脚部を床面に固定することができる。これにより、安全柵固定装置は、作業員に負担をかけない重量で構成することができる。また、取り付けられた振動センサにより安全柵に発生した振動を検知することで、万が一安全柵が移動等した場合には報知することができる。さらに、吸盤部のレバーをＯＮにすると振動センサが同期してＯＮとなる構成とすることで、簡易な操作とすることができる。
【００１２】
また、安全柵固定装置は、床面吸着手段のレバーがＯＦＦからＯＮになるように回転されると振動センサのスイッチが押圧されてＯＮとなる構成であることが好ましい。これにより、簡易な操作により、吸盤部のＯＮ動作による床面への固定と、振動センサのＯＮ動作とを同期させることができる。
【００１３】
さらに、安全柵固定装置は、固定手段が、バネによって付勢され、ピンにより回転自在なフックの先端部に設けられた凸部を、安全柵の脚部に設けられた凹部に嵌合させて固定することが好ましい。また、固定手段が、安全柵固定装置から突出したフックをピン回りに回転させることで、安全柵固定装置に固定された安全柵の脚部を解除することが好ましい。これにより、固定手段は、確実に安全柵の脚部を固定し、更にその固定を解除することができる。
【００１４】
また、安全柵固定装置は、更に、振動センサが発信した信号を受信して警報を発報する警報ブザーを備えることが好ましい。これにより、安全柵に接触した乗客、及び作業員に警告を与えることができる。
【００１５】
また、安全柵固定装置は、更に、振動センサが発信した信号を受信して無線信号を発報する警報信号発信手段を備えることが好ましい。これにより、外部の監視員或いは監視センタへ異常事態の発生を通報することができる。
【発明の効果】
【００１６】
以上のように、本発明に係る安全柵固定装置によれば、安全柵の移動等を防止しつつ、万が一安全柵が移動等した場合には報知し、簡易な操作が可能となる。
【発明を実施するための最良の形態】
【００１７】
以下に、図面を用いて本発明に係る安全柵固定装置の実施の形態につき、詳細に説明する。
【００１８】
図１に、本発明に係る安全柵固定装置を取り付けた安全柵を示す。安全柵２は、例えば、エレベータやエスカレータなどの昇降設備の保守点検時に、乗降口付近において乗客に対して安全上進入してはならない範囲を表示する。安全柵固定装置１は、この安全柵２の安全柵脚部３の底部に設置されて床面１３に接触する。また、図２に、安全柵固定装置１の１つの実施形態の概略構成を示す。安全柵固定装置１は、安全柵２の安全柵脚部３を固定する固定手段、安全柵２を設置される床面１３に吸着させる床面吸着手段、安全柵２に発生した振動を検知して発信する振動検知手段、及び振動センサ１０による振動の検知に連動して警報を発信する警報発信手段から構成される。
【００１９】
図３に、安全柵２の安全柵脚部３が安全柵固定装置１に挿入されて固定された状態を示す。安全柵脚部３は、一般的に管状のパイプ材であり、安全柵固定装置１に設けられた円筒状の挿入口１４に挿入されて固定される。
【００２０】
固定手段は、図２に示すようにフック４、バネ５、及びピン６から構成される。フック４は安全柵固定装置１に設けられた挿入口１４に向いた先端部が凸状となった凸部１６を有し、バネ５により挿入口１４の方向に付勢されている。また、フック４は、安全柵固定装置１に対してピン６により回転自在に支持され、安全柵固定装置１から突出したフック操作部１７を操作することでピン６を中心に回転させることができる。また、安全柵脚部３の所定の位置には、窪みである凹部１５が設けられる。
【００２１】
次に、この固定手段による安全柵脚部３の固定及び解除の機構を説明する。まず、安全柵脚部３は、安全柵固定装置１に設けられた挿入口１４に差し込まれる。安全柵脚部３が挿入口１４内の所定の位置まで差し込まれると、バネ５により付勢されたフック４の凸部１６が安全柵脚部３に設けられた凹部１５に嵌合する。これにより、安全柵脚部３は、バネ５によって付勢されたフック４により安全柵固定装置１に固定される。一方、この固定を解除するには、フック４の安全柵固定装置１から突出したフック操作部１７を図２の矢印の方向に回転させる。これにより、フック４がピン６を支点として回転し、フック４の凸部１６と凹部１５との嵌合が開放されて安全柵脚部３の固定が解除される。このように、固定手段は、フック４の操作により、安全柵固定装置１に固定された安全柵２の安全柵脚部３を解除する。
【００２２】
床面吸着手段は、一般的に収納製品などに用いられ、安全柵脚部３を床面１３に吸着させるゴム製の吸盤７、及び吸盤７をＯＮ／ＯＦＦ動作させるレバー８から構成される。この床面吸着手段は、吸盤７と床面１３とにより囲まれた真空室１８を真空に近い状態にすることで吸盤７を床面１３に吸着させることができる。図２に示すレバー８は、この吸盤７による吸着がＯＦＦの状態であり、このレバー８を略水平に倒すことで吸盤７の吸着がＯＮとなる。すなわち、この安全柵固定装置１には、レバー８を回転させる機構が設けられ、レバー８を倒すことで真空室１８の空気が抜けて真空に近い状態となる。また、レバー８を元の状態に戻すことで真空室１８に空気が入り込み吸着が消滅する。
【００２３】
振動検知手段は、本実施形態では、安全柵脚部３に発生した振動を検知する振動センサ１０、及び振動センサ１０のＯＮ／ＯＦＦ動作を操作するスイッチ９から構成される。図２に示すように、この振動センサ１０のスイッチ９は、床面吸着手段のレバー８を略水平に倒すことで吸盤７の吸着をＯＮにすると振動センサ１０のスイッチ９が同期してＯＮとなるような位置に設置される。すなわち、レバー８がＯＦＦからＯＮとなるように回転すると振動センサ１０のスイッチ９が押圧されてＯＮとなる。これにより、簡易な操作により、吸盤７のＯＮ動作による床面への固定と、振動センサ１０のＯＮ動作とを同期させることができる。
【００２４】
振動検知の手段の他の実施例として、図３に示すように、安全柵固定装置１の挿入口１４に面して設けられる圧着センサ１９であっても良い。すなわち、安全柵脚部３が安全柵固定装置１に固定される場合に、安全柵脚部３の脚底部２０を挿入口１４の底部から浮かした状態にする。このとき、安全柵脚部３の凹部１５とフック４の凸部１６とが嵌合し、安全柵２の自重はこの嵌合した部分で支持されて安全柵固定装置１へと伝達される。従って、安全柵脚部３が振動すると、安全柵脚部３は凹部１５を中心に回転し、その一部が圧着センサ１９に接触する。この接触により安全柵脚部３に発生した振動を検知する。
【００２５】
警報発信手段は、警報ブザー１１、及び警報信号発信部１２から構成される。警報ブザー１１は、振動センサ１０が発信した信号を受信して警報を発報する。これにより、安全柵２に接触した乗客、及び保守点検を行っている作業員に警告を与えることができる。また、警報信号発信部１２は、振動センサ１０が発信した信号を受信して無線信号を発報する。これにより、外部の監視盤或いは監視センタへ異常事態の発生を通報することができる。
【図面の簡単な説明】
【００２６】
【図１】本発明に係る安全柵固定装置が取り付いた安全柵を示す側面図である。
【図２】本発明に係る安全柵固定装置の１つの実施形態の概略構成を示す断面図である。
【図３】安全柵の安全柵脚部が安全柵固定装置に挿入されて固定された状態を示す断面図である。
【符号の説明】
【００２７】
１  安全柵固定装置、２  安全柵、３  安全柵脚部、４  フック、５  バネ、６  ピン、７  吸盤、８  レバー、９  スイッチ、１０  振動センサ、１１  警報ブザー、１２  警報信号発信手段、１３  床面、１４  挿入口、１５  凹部、１６  凸部、１７  フック操作部、１８真空室、１９  圧着センサ、２０  脚底部。
【図１】
2010076868.tif 000003
【図２】
2010076868.tif 000004
【図３】
2010076868.tif 000005